(57)【要約】  化粧製品用の容器システムを充填する方法が提供され、その容器システムが、室を画成する中空の圧力格納槽を有し、その室が、小出しする製品を収容する封止された圧潰可能なエアレスパウチ容器を封入している。発酵推進システムが、室の内壁とエアレスパウチ容器との間に設けられる。発酵推進システムは、室内で発酵ガスを発生させることが可能なある量の酵母と、発酵過程を起こすために酵母が消費するためのある量の糖と、発酵作用を促進するための酵母エキスとを備える。発酵ガスが、パウチ容器に圧力を加えることによって製品を小出しするための推進剤として機能する。弁は、室が密に封止されるように、また製品が槽から選択的に小出しされ得るように、槽の開口部に固定される。【選択図】図１
2017512158.tif 000002
【特許請求の範囲】
【請求項１】
加圧された製品送達パッケージを準備する方法であって、
室を画成する中空の本体を有する圧力格納槽を用意するステップであって、前記中空の本体が、前記室への開口部を有する第1の端部及び閉じている第2の端部を有する、用意するステップと、
容器及び弁組立体を用意するステップであって、前記容器が、前記製品を収容するための圧縮可能な貯留部を画成する可撓性の壁を有し、前記弁が、小出し口及び注入口を有するハウジングを有し、前記弁ハウジングが、前記槽の前記開口部に固定されるように適合されており、前記注入口が前記容器の出口と流体連通するように前記弁ハウジングが前記容器に固定されており、前記弁が、前記小出し口を介して前記貯留部から前記製品を小出しするように選択的に動作可能である、用意するステップと、
前記室を加圧するのに充分な容量のガスを所定の時間量後に発生させるために前記室に発酵に基づく推進システムを挿入するステップであって、前記推進システムが、発酵を引き起こして前記室内でガスを発生させることが可能なある量の微生物、及び前記微生物のためのある量の餌を備える、挿入するステップと、
前記出口が前記開口部内にある又は前記開口部に隣接している状態で、前記容器が前記室の中にあるように、前記容器及び弁組立体のうちの前記容器の部分を、前記開口部を介して前記槽に挿入するステップと、
前記室が密に封止されるように、前記弁ハウジングを前記槽の前記開口部に固定するステップと、
小出しするためのある量の製品を前記貯留部に充填するステップと、
前記発酵に基づく推進システムが所望の容量のガスを発生させるのに充分な期間、前記パッケージを保管するステップと、
を備え、
保管するステップの後、前記室内で発生した前記容量のガスにより、前記弁が作動したときに製品を小出しするのに充分な圧力が前記可撓性の壁に加えられる、方法。
【請求項２】
前記容器が可撓性のパウチである、請求項1に記載の方法。
【請求項３】
前記微生物が酵母を備え、前記ある量の餌が糖を備える、請求項1に記載の方法。
【請求項４】
前記発酵に基づく推進システムに添加された作用促進剤をさらに備える、請求項3に記載の方法。
【請求項５】
前記促進剤が酵母エキスを備える、請求項4に記載の方法。
【請求項６】
前記酵母エキスが、ビタミン、アミノ酸、リン酸塩、及び硫酸アンモニウムのうちの少なくとも一つを備える、請求項5に記載の方法。
【請求項７】
前記容器が第1の圧縮構成及び第2の膨張構成を有し、前記第1の圧縮構成が、前記容器及び弁組立体のうちの前記容器の部分を、前記開口部を介して前記槽に挿入する前記ステップのために適合されており、前記第2の膨張構成が、前記貯留部に充填する前記ステップの間に前記ある量の製品を受けるように適合されている、請求項1に記載の、加圧された製品送達パッケージを準備する方法。
【請求項８】
加圧された製品送達パッケージを準備する方法であって、
室を画成する中空の本体を有する圧力格納槽を用意するステップであって、前記中空の本体が、前記室への開口部を有する第1の端部及び閉じている第2の端部を有する、用意するステップと、
容器及び弁組立体を用意するステップであって、前記容器が、前記製品を収容するための圧縮可能な貯留部を画成する可撓性の壁を有し、前記弁が、小出し口及び注入口を有するハウジングを有し、前記弁ハウジングが、前記槽の前記開口部に固定されるように適合されており、前記注入口が前記容器の前記出口と流体連通するように前記弁ハウジングが前記容器に固定されており、前記弁が、前記小出し口を介して前記貯留部から前記製品を小出しするように選択的に動作可能である、用意するステップと、
小出しするためのある量の製品を前記貯留部に充填するステップと、
前記室を加圧するのに充分な容量のガスを所定の時間量後に発生させるために前記室に発酵に基づく推進システムを挿入するステップであって、前記推進システムが、発酵を引き起こして前記室内で前記ガスを発生させることが可能なある量の微生物、及び前記微生物のためのある量の餌を備える、挿入するステップと、
前記出口が前記開口部内にある又は前記開口部に隣接している状態で、前記容器が前記室の中にあるように、前記容器及び弁組立体のうちの前記容器の部分を、前記開口部を介して前記槽に挿入するステップと、
前記室が密に封止されるように、前記弁ハウジングを前記槽の前記開口部に固定するステップと、
前記発酵に基づく推進システムが所望の容量のガスを発生させるのに充分な期間、前記パッケージを保管するステップと、
を備え、
保管するステップの後、前記室内で発生した前記容量のガスにより、前記弁が作動したときに製品を小出しするのに充分な圧力が前記可撓性の壁に加えられる、方法。
【請求項９】
前記容器が可撓性のパウチである、請求項8に記載の方法。
【請求項１０】
前記微生物が酵母を備え、前記ある量の餌が糖を備える、請求項8に記載の方法。
【請求項１１】
前記発酵に基づく推進システムに添加された作用促進剤をさらに備える、請求項10に記載の方法。
【請求項１２】
前記促進剤が酵母エキスを備える、請求項11に記載の方法。
【請求項１３】
前記酵母エキスが、ビタミン、アミノ酸、リン酸塩、及び硫酸アンモニウムのうちの少なくとも一つを備える、請求項12に記載の方法。
【請求項１４】
前記容器が第1の圧縮構成及び第2の膨張構成を有し、前記第1の圧縮構成が、前記容器及び弁組立体のうちの前記容器の部分を、前記開口部を介して前記槽に挿入する前記ステップのために適合されており、前記第2の膨張構成が、前記貯留部に充填する前記ステップの間に前記ある量の製品を受けるように適合されている、請求項8に記載の、加圧された製品送達パッケージを準備する方法。
【請求項１５】
加圧された製品送達パッケージを準備する方法であって、
室を画成する中空の本体を有する圧力格納槽を用意するステップであって、前記中空の本体が、前記室への開口部を有する第1の端部及び閉じている第2の端部を有する、用意するステップと、
容器及び弁組立体を用意するステップであって、前記容器が、前記製品を収容するための圧縮可能な貯留部を画成する可撓性の壁を有し、前記弁が、小出し口及び注入口を有するハウジングを有し、前記弁ハウジングが、前記槽の前記開口部に固定されるように適合されており、前記注入口が前記容器の前記出口と流体連通するように前記弁ハウジングが前記容器に固定されており、前記弁が、前記小出し口を介して前記貯留部から前記製品を小出しするように選択的に動作可能である、用意するステップと、
前記室を加圧するのに充分な容量のガスを所定の時間量後に発生させるために前記室に発酵に基づく推進システムを挿入するステップであって、前記推進システムが、発酵を引き起こして前記室内で前記ガスを発生させることが可能なある量の微生物、及び前記微生物のためのある量の餌を備える、挿入するステップと、
前記出口が前記開口部内にある又は前記開口部に隣接している状態で、前記容器が前記室の中にあるように、前記容器及び弁組立体のうちの前記容器の部分を、前記開口部を介して前記槽に挿入するステップと、
前記室が密に封止されるように、前記弁ハウジングを前記槽の前記開口部に固定するステップと、
前記発酵に基づく推進システムが所望の容量のガスを発生させるのに充分な期間、周囲温度で前記パッケージを保管するステップと、
小出しするためのある量の製品を前記貯留部に圧力下で充填するステップと、
を備え、
充填するステップの後、前記室内で発生した前記容量のガスにより、前記弁が作動したときに製品を小出しするのに充分な圧力が前記可撓性の壁に加えられる、方法。
【発明の詳細な説明】
【技術分野】
【０００１】
本発明は、環境に優しい発酵推進システムを有するエアロゾルパッケージに関する。詳細には、本発明は、小出しされる製品がエアレスパウチに封入されることによって発酵推進システムから隔離されている、発酵推進システムを有するエアロゾルパッケージを対象とする。
【背景技術】
【０００２】
カゾルラ(Cazorla)らの米国特許第4,017,602号は、エアロゾルの形態で使用する製品を準備する過程を開示しており、この過程では、小出しされる組成物に、容器内での二酸化炭素ガスの発生を伴う発酵を引き起こすことが可能な微生物を接種し、この二酸化炭素ガスが推進剤として機能する。開示されたこのシステムの欠点は、化合物に接種された微生物が化合物と一緒に小出しされ、このシステムが、発酵過程の副産物であり得る何らかの不快臭も小出しする恐れがあることである。
【０００３】
モラーヌ(Morane)の米国特許第5,009,340号は、小出しする製品と、製品内に配置されている封止された可撓性のポケット8又は封止された弾性の袋212に収容された発酵推進システムとを収容するパッケージング容器を開示している。ポケット又は袋は、発酵ガスが生成されるにつれて膨張し、製品が容器から小出しされる。開示されたこのシステムの欠点は、製品を容器に充填しポケット/袋を容器に配置する過程の間に、製品が空気にさらされ得ることである。空気にさらされることによって、製品が小出しされる前に製品の劣化をもたらす恐れがある。
【０００４】
したがって、小出しされる製品を、推進システム及び充填中の空気汚染からよりよく隔離する発酵推進エアロゾルが必要とされている。
【発明の概要】
【発明が解決しようとする課題】
【０００５】
本発明の目的は、封止された圧潰可能なエアレスパウチに封入されることによって、小出しされる製品が発酵推進システムから隔離されている、発酵推進システムを有するパッケージを提供することである。
【課題を解決するための手段】
【０００６】
本発明は化粧製品用の容器システムである。中空の本体を有する圧力格納槽が、小出しされる製品を収容する封止された圧潰可能なエアレスパウチ容器を封入する室を画成する。室の内壁とエアレスパウチ容器との間に、発酵推進システムが設けられる。発酵推進システムは、発酵を引き起こしてガスを室内で発生させることが可能なある量の微生物と、微生物がガスを発生させるためのある量の餌とを備える。ある量の餌は、室を加圧するのに充分な容量のガスを発生させるために提供される。ガスは推進剤として機能する。室が密封されるように、また製品を槽から選択的に小出しできるように、槽の開口部に弁が固定されている。
【０００７】
さらに詳細には、本発明は、室を画成する中空の本体を有する圧力格納槽を含む容器である。中空の本体は、室への開口部を有する第1の端部と、閉じている第2の端部とを有する。中空の本体内には、製品を収容するための圧縮可能な貯留部を画成する可撓性の壁を有する容器が位置づけられている。この容器は貯留部と流体連通している出口を有する。この出口は中空の本体の開口部内にある、又は開口部に隣接している。室が密封されるように槽の開口部に弁が固定されている。注入口が容器の出口と流体連通するように弁ハウジングが容器に固定されている。弁は、貯留部から小出し口を介して製品を小出しするように選択的に動作可能である。発酵に基づく推進システムが、容器と槽の間の室に位置づけられている。推進システムは、ある量の微生物と、微生物のためのある量の餌とを備える。微生物が餌を消費することにより発酵を引き起こして室内にガスを発生させ、そのガスが室を加圧する推進剤として機能する。ある量の微生物、及びある量の餌は、室を加圧して製品を小出しするのに充分な容量のガスを発生させるように選択される。室内で発生したその容量のガスにより、弁が作動したときに製品を小出しするのに充分な圧力が可撓性の壁に加えられる。
【図面の簡単な説明】
【０００８】
【図１】製品Pを小出しするために弁が押し下げられている、充填された状態の本発明の容器システムの断面図である。
【図２】組立て前の容器システムの部分分解図である。
【図３】充填前の容器システムの断面図である。
【図４】充填中の容器システムの断面図である。
【図５】容器システムの代替的な実施形態の断面図である。
【発明を実施するための形態】
【０００９】
図1〜図4を参照すると、化粧製品用の容器システムが、全体的に参照符号2で示されている。容器システム2は、室6を画成する中空の本体を有する圧力格納槽4を含む。槽4は、室6への開口部10を有する第1の端部8と、閉じている第2の端部12とを有する。槽4の内部には、製品Pを収容するための圧縮可能な貯留部16を画成する可撓性の壁15を有するパウチタイプの容器14が設けられている。容器14は、貯留部16と流体連通している出口18を有する。容器14は、出口18が開口部10内にある、又は開口部10に隣接している状態で室6に位置づけられている。
【００１０】
弁アクチュエータ21とハウジング22とを備える弁20が、貯留部16と流体連通している容器14の出口18に固定されている。弁アクチュエータ21は、貯留部16の外側にある小出し口24と、貯留部16と流体連通している注入口26とを有する。図に示されるように、注入口26は貯留部16の内部にあるが、代替的な構成にすることもできる。例えば、弁20の注入口26は、浸漬管、又は他の同様の流体通路(図示せず)によって貯留部16に連結することができる。容器14の出口18の周囲を槽の第1の端部8に固定する(図5に示す)か、図1〜図4に示されるように、容器14を弁ハウジング22の注入口26に固定し、弁ハウジング22を槽の第1の端部8の開口部10に密に固定するか、のどちらかによって、室6は密封される。容器14は、例えば接着、溶接、圧着、圧入、オーバモールドなどの任意のよく知られた手段によって、弁20又は槽4に密に固定される。このように、弁ハウジング22及び容器14は、注入口26が容器14の出口18と流体連通するように槽4に密に固定される。弁アクチュエータ21は、小出し口26を介して貯留部16から製品Pを小出しするように、選択的に動作可能である。
【００１１】
図1に示されるように、充填され加圧された容器システム2から製品Pを小出しするために、弁アクチュエータ21の対向する肩部とハウジング22との間に位置づけられた例えば弁ばね23によって与えられる抵抗に対して、弁アクチュエータが押し下げられる。弁アクチュエータを押し下げることによって弁注入口26が開き、弁注入口26は弁導管25によって弁小出し口24と流体連通する。弁注入口26が開くことによって、製品Pが圧縮可能な貯留部16から矢印33の方向に流れて注入口26に入り、導管25を上向きに通って、小出し口24を通って出ることが可能になる。ノズル29を有するアクチュエータボタン27が、容器システム2から横方向に製品Pを導くように設けられてもよく、この横方向において製品Pは消費者に容易に到達可能である。ノズル29には、微細な霧状の噴霧パターンの生成を容易にするために、ベンチュリ31、又は他の構造体が設けられてもよい。
【００１２】
容器システム2を加圧するために、室6にはパウチタイプの容器14と圧力格納槽4との間に発酵に基づく推進システム34が設けられている。推進システム34は、発酵を引き起こしてガスを室内で発生させることが可能なある量の微生物28と、微生物のためのある量の餌30とを備える。容器14を槽4に(すなわち、室6内に)挿入する前に、推進システム34が室6に挿入される。容器14が槽4に挿入され、槽4の外側の周囲大気に対して室6が密封された後、推進システム34は封止された室6内で発酵によってガスを発生させ始める。微生物(例えば酵母)は、餌(例えば糖)をCO2とアルコールに変化させる。発酵により発生したガスは、量が増える一方で槽4及び製品Pが充填された容器14によって容量が制限されていることによって、室6を加圧するように機能する。微生物28の量、及び餌30の量は、圧力格納槽4の圧力限界を超えることなく所望の程度まで室6を加圧するのに充分な容量のガスを発酵によって発生させるように、それぞれ選択される。室6で発生したその容量のガスにより、(例えば、図1の下向きの矢印32で示されるように弁アクチュエータボタン27を押し下げることによって)弁20が作動したとき、製品Pを小出しするのに充分な圧力が、パウチタイプの容器14の可撓性の壁15に加えられる。したがって、発酵によって発生したガスが、製品Pの推進剤として機能する。
【００１３】
発酵を引き起こすことが可能な微生物28は、好ましくは数mlの量の酵母である。微生物28のための餌30は、好ましくは同じく数mlの量で提供される糖である。発酵により得られるガスは、二酸化炭素(CO2)ガスである。酵母が発生させるCO2ガスの量は、システムに添加される糖の量によって決まる。室6内でより多くのガス生成量を得て、それに応じてより高いガス圧を得るために、比例的により多くの糖がシステムに添加される。添加される糖が多いほど、酵母によってより多くのガスが生成されて室6内でより高い圧力が得られる。したがって、最終的に到達する圧力は、システムの微生物(酵母)に与えられる餌(糖)の量によって決まる。
【００１４】
推進システム34は、発酵に基づく推進システムに添加される酵母エキスという形態の作用促進剤をさらに含んでもよい。適切な酵母エキスは、例えば、フランス、マルク-アン-バルール(Marcq-en-Baroeul)にあるルサッフルグループ(Lesaffre Group) (Societe Industrielle Lesaffre (S.I.L.))の子会社であるバイオ-スプリンガー社(Bio-Springer)から入手可能な、スプリンガー(Springer) (登録商標)という商品名で販売されている。酵母エキスは、ビタミン、アミノ酸、リン酸塩、及び硫酸アンモニウムのうちの一つ以上を含んでもよい。酵母エキスは、酵母の繁殖及び成長を促し、発酵ガスを発生させる酵母の作用を加速させる。酵母エキスは、1リットルの酵母及び糖につき約5グラムの割合で推進システムに添加される。
【００１５】
例示の目的で、図2には、ある量の微生物28及びある量の餌30が、それぞれ微生物供給管36及び餌供給管38から室6に添加される様子が示されている。それぞれの量が漏斗40内に供給され、漏斗40は混合された微生物及び餌を室6に導く。しかし、微生物28及び餌30は、室6を封止する前に発酵過程が実質的に進行しない限り、別々に、又は例えば冷蔵された混合済みの状態で、他の手段によって室6に提供されてもよい。微生物28及び餌30のどちらか、又は両方は、乾燥した粉末の形態で、又は液体若しくはスラリーとして提供されてもよい。微生物及び餌が、乾燥した又は粉末の形態で提供される場合、例えば水などのある量の液体が、室6を封止する前のいずれかの段階で推進システムに添加されてもよい。
【００１６】
酵母エキスを添加された発酵に基づく推進システム34は、室6での混合後まもなく作動し始める。室6が封止されてから約3〜4時間後に、室6内で圧力が上昇し始める。室6が封止されてから約36〜48時間で最終的な圧力に到達する。発酵過程は約34℃の温度において最もよく機能する。システムに供給された糖を酵母がすべて消費したとき、室6は最終的な圧力に達する。酵母はシステム内で約6〜7カ月間生存する。酵母が生存している間にさらなる糖をシステムに添加すると、さらなるガス、及びそれに応じてさらなる圧力を発生させることができる。
【００１７】
発酵に基づく推進システムは、生物学的に安全で比較的ゆっくり作動するので、製品Pの充填及び発酵に基づく推進の構成要素の挿入を含む、容器システム2の製造ライン、組立てライン、及び充填ラインでは、加圧式の充填機器(例えば、高圧推進供給タンク及びライン)、加圧式の格納部屋、又はそれに関連する安全機器及び構造体(例えば、防爆壁及び防爆窓)は必要とされない。容器システム2の製造ライン、組立てライン、及び充填ラインは、周囲大気条件において最小限の安全機器及び構造体で稼働することができる。発酵に基づく推進システムは比較的ゆっくり作動するので、室6の組立て及び封止を急いで行う必要がない。作動の相対的な速さは、温度を上げ下げする、又は液体の量を管理することによってある程度まで制御することができる。典型的なエアロゾルとは異なり、製品Pは推進システム34から隔離されており、パウチタイプの容器14に収容されることによって保護されている。
【００１８】
製品Pは、容器14を室6に入れて組み立てるより前に、それと同時に、又はその後で、容器14に充填されて、容器システム2を形成することができる。例えば、製品Pは、容器システム2の組立てより前に容器14に充填されてもよく、したがって、製品Pは、容器システム2の組立てポイントから離れた場所で充填されてもよい。この手法により、製品Pを推進システム構成要素からより大きく分離することができるようになり、交差汚染が起きないことをさらに確実にする。
【００１９】
或いは、圧力格納槽4の開口部10が小さすぎて充填済みの容器14を入れることができない場合には、パウチタイプの容器14はシステムの組立て中には第1の圧縮構成42を有し(図2及び図3に示す)、製品の充填後に第2の膨張構成44を有することができる(図1及び図4に示す)。第1の圧縮構成42では、パウチタイプの容器14は、システム2の組立て中に槽4の開口部10を通って挿入されやすいように、例えば平たくわずかに丸まっている。図2〜図4に示されるように、第1の圧縮構成42にある容器14は、弁20と組立て済みであってよく、すなわち、槽4の室6に容器14を挿入するより前に、容器14の出口18に弁20が密に固定されていてもよい。次いで、弁20と組立て済みの、第1の圧縮構成42にある容器14が、槽4の室6に挿入されてもよい。容器14が槽4に挿入された後、弁アクチュエータ21が矢印46の方向に押し下げられ、矢印48及び50によってそれぞれ示されるように、製品Pが小出し口24及び注入口26を通って容器14内に注入され得る。製品Pを容器14内に注入することによって、容器14は膨張して第2の膨張構成44になる。製品Pは、好ましくは、容器14が室6に位置づけられた後であるが室6が密封される前に容器14に注入される。室6を密封する前に製品Pを注入することによって、室6内の過剰な空気が封止前に排出される。或いは、製品Pは、室6が密封された後に圧力下で容器14に注入されてもよく、こうして、弁アクチュエータ21が押し下げられたときに容器14から製品を排出するために後に使用され得る圧力が、槽4の室6内で上昇する。いずれの場合においても、パウチタイプの容器14及び発酵に基づく推進システム34を収容する室6を密封するように、弁20の弁ハウジング22が圧力格納槽4の開口部10に密に固定され得る。
【００２０】
容器システム2の弁20は、弁ハウジング22を槽4の開口部10に固定するための首部取付け構造体52を含んでもよい。図1〜図4に示されるように、首部取付け構造体52は弁ハウジング22と一体に形成されてもよい。或いは、図5に示されるように、首部取付け構造体52は、弁ハウジング22を槽4の開口部10に連結するカラー又はブッシュ構造体54の形態の別個の部分を備えてもよい。カラー又はブッシュ54は、例えば接着、溶接、圧着、圧入、螺合などの任意のよく知られている手段によってハウジング22に密に固定することができる。同様に、取付け構造体は、ハウジング22と一体であろうと又は別個のカラー若しくはブッシュであろうと、例えば接着、溶接、圧着、圧入、螺合などの任意のよく知られている手段によって、槽の開口部10に密に封止され得る。
【００２１】
容器システム2は、製品を再充填可能であってもよい。例えば、パウチタイプの容器14から製品Pがすべて小出しされた後、パウチタイプの容器14が取り付けられている弁20は、槽4から選択的に取外し可能とすることができる。例えば、首部取付け構造体52にねじ山又はバヨネット構造体が設けられていてもよく、ねじ山又はバヨネット構造体は、槽4の開口部10にある対応する構造によって受けられ得る。新しいパウチタイプの容器14が取り付けられ製品Pが充填された新しい弁20が、槽4に挿入され、固定され得る。或いは、元のパウチタイプの容器14を槽4に残しておくことができ、弁20を介して、すなわち、最初に容器を充填するために上記で開示した過程と同様の過程によって、製品Pを再充填することができる。
【００２２】
同様に、新しい酵母及び/又は糖を供給することによって推進システム34を再充満させることができるように、弁20は槽4から選択的に取外し可能とすることができる。
【００２３】
実施例として、容器システム2には、容量262 mlの室6を有する圧力格納槽4が設けられる。容器14は槽4の室6に設けられる。容器14は、第2の膨張構成44にあるときの最大容量が150 mlである貯留部16を有する。製品Pはこの貯留部16に提供される。膨張構成44にある貯留部16を完全に満たすように、150 mlの量の製品Pが提供される。発酵に基づく推進システムも室6に提供される。発酵に基づく推進システムは、乾燥酵母1.25グラム、ブドウ糖水液混合物11グラム(水1リットルに対し糖250グラムの割合で調製)、及び酵母エキス1.3グラムを備える。発酵システムをより液状にする必要がある場合には、糖及び酵母にさらなる水を添加してもよい。上記の室容量における前述した量の酵母及び糖によって、周囲外気温で6.5バールまでシステムを加圧するのに充分なガスが生成されると見込まれる。到達する圧力が、周囲外気温の最高値と最低値によってもたらされ得ることは明らかである。
【００２４】
本発明の利点として、発酵に基づく推進システムは環境に優しいということが挙げられる。推進システムの構成要素はすべて安全であり、生物由来であり、再生可能であり、生物に優しいものである。推進システムの構成要素は植物に基づくものであり、植物は典型的にはCO2を吸収して糖を作り出すので、大気に対してCO2の純増加がない。また、システムに圧力をかける時間が比較的ゆっくりであり得る。例えば、促進剤を使用しない微生物(酵母)及び餌(糖)では、システムに圧力をかけるのに充分なガスが発生し始めるのに約5〜6時間を要する。圧力をかける速度がこのように遅いことによって、特別な圧力格納機器又は製造空間がなくても、周囲圧力においてシステムの構成要素を慌てずに組み立てることができるようになる。このことは、現行の推進剤とは全く対照的であり、現行の推進剤は可燃性であり得、及び/又は高圧下で使用され得、したがって製造中の不注意による火傷、爆発、又は高圧解放による、さらなる安全上の問題、及び作業員が負傷する恐れが生じる。加えて、現行の推進剤は既知の汚染物質である。本発明の酵母及び糖は、いかなる例外的な安全上の予防措置又は取扱い手順も必要とせず、難しい又は高価なリサイクル過程がなくても容易に廃棄される。この推進システムはあらゆる現行の推進システム(例えば、ブタン、ジメチルエーテル、CFCなど)の代わりになり得る。
【００２５】
このシステムは、推進システム34から製品Pを隔離するパウチシステムであり、浸漬管を当てにしていないので、逆さまを含むいかなる角度でシステムを保持した状態でも消費者はシステムから小出しすることができる(製品を小出しするには直立した状態で保持されなくてはいけない従来のシステムとは対照的)。本発明の封止されたパウチタイプのシステムのさらなる利点は、貯留部16に製品Pを詰める前に貯留部16が滅菌される場合には、製品内の防腐剤を減らす、又はなくすことが可能になり得ることである。
【００２６】
システムから小出しされ得る製品としては、日焼け止めスプレー、ローション、ひげ剃りジェル又はクリーム、液体製品又は粘性製品が挙げられる。システムはさらに、歯磨き粉、食料品(例えば、ソース、ケチャップ、マスタード、マヨネーズ、ホイップクリーム、チーズなど)用に使用することができる。容器システムはエアレスであり、したがっていかなる潜在的な汚染問題も回避する。
【００２７】
以下の特許請求の範囲から逸脱することなく、さまざまな部分の特定の形態及び構造においてさまざまな修正及び変更がなされ得ることが理解される。
【図１】
2017512158.tif 000003
【図２】
2017512158.tif 000004
【図３】
2017512158.tif 000005
【図４】
2017512158.tif 000006
【図５】
2017512158.tif 000007
【国際調査報告】
2017512158.tif 000008
2017512158.tif 000009